(57)【要約】【課題】テレビジョン放送信号に手を加えることなく、簡易に放送内容に関連した文字等の情報を閲覧可能な携帯情報端末及び携帯情報システムを実現する。【解決手段】携帯情報端末ＴＭａ内の制御部５の制御により、テレビジョン放送受信部４の受信したテレビジョン放送に関する関連情報（放送内容に関した画面に表示すべき文字情報（例えば字幕やテロップなど）や、他の静止画・動画、あるいは、特定のＵＲＬへのリンク情報など）を情報サーバー８からインターネット接続部２に受信させ、受信した関連情報を、受信したテレビジョン放送とともに表示部３に表示させる。すなわち、制御部５は、テレビジョン放送とは別個に、受信したテレビジョン放送に関する関連情報をインターネットを介して取得し、表示部３に表示させる。【選択図】図１
2007324645.tif 000002
【特許請求の範囲】
【請求項１】
基地局と無線通信を行うことが可能な無線通信部と、
前記無線通信部及び前記基地局を介してインターネットに接続し、インターネット上の所定の情報サーバーとの間で送受信を行うインターネット接続部と、
表示部と、
テレビジョン放送を受信可能なテレビジョン放送受信部と、
制御部と、
操作部と、
日付及び時刻を計測する時計と
を備え、
前記制御部は、
前記操作部を介して与えられた視聴チャンネルの情報に基づき、対応するチャンネルのテレビジョン放送を前記テレビジョン放送受信部に受信させ、
前記テレビジョン放送受信部の受信したテレビジョン放送を前記表示部に表示させ、
前記無線通信部に前記基地局から端末の現在位置の情報を取得させ、
前記時計より得た現在時刻の情報と、前記視聴チャンネルの情報と、前記現在位置の情報とを、前記情報サーバーに対して前記インターネット接続部に送信させ、
前記テレビジョン放送受信部の受信したテレビジョン放送に関する関連情報を前記情報サーバーから前記インターネット接続部に受信させ、
前記インターネット接続部の受信した前記関連情報を、受信した前記テレビジョン放送とともに前記表示部に表示させる
携帯情報端末。
【請求項２】
請求項１に記載の携帯情報端末であって、
前記テレビジョン放送受信部の受信したテレビジョン放送の動画データを記憶する動画記憶部と、
前記動画記憶部に記憶された前記動画データを再生して前記表示部に表示させる動画再生部と
を更に備え、
前記制御部は、
前記動画データの前記動画記憶部への記憶に際して、録画中の前記視聴チャンネルの情報と、前記時計より得た録画開始の日付及び時刻の情報と、端末の録画時における位置の情報とを前記動画記憶部に記憶させ、
前記動画データの前記動画再生部における再生に際して、
現在再生中の場面に対応する、放送時における放送日付及び時刻を算定し、
算定した前記放送時における放送日付及び時刻の情報と、記憶されていた前記視聴チャンネルの情報と、記憶されていた前記位置の情報とを、前記情報サーバーに対して前記インターネット接続部に送信させ、
前記動画データに関する放送済み関連情報を前記情報サーバーから前記インターネット接続部に受信させ、
前記インターネット接続部の受信した前記放送済み関連情報を、再生すべき前記動画データとともに前記表示部に表示させる
携帯情報端末。
【請求項３】
請求項１または請求項２に記載の携帯情報端末と、
前記情報サーバーと、
前記情報サーバー及び前記無線通信部間の通信を行うためのインターネット回線と
を備え、
前記情報サーバーは、
前記インターネット回線を介してインターネットに接続可能なインターネット接続手段と、
制御部と、
記憶部と
を有し、
前記記憶部には、
前記関連情報、または、それに加えて前記放送済み関連情報が、時刻、地域及びチャンネルに対応付けて記憶され、
前記制御部は、
前記携帯情報端末からの前記関連情報または前記放送済み関連情報の要求を前記インターネット接続手段を介して受信し、
対応する前記関連情報または前記放送済み関連情報を前記記憶部から取り出して、前記インターネット接続手段を介して前記携帯情報端末へと送信する
携帯情報システム。
【発明の詳細な説明】
【技術分野】
【０００１】
この発明は、テレビジョン放送の内容に関連した情報を閲覧可能な携帯情報端末及び携帯情報システムに関する。
【背景技術】
【０００２】
アナログ放送等の、デジタル信号を有しないテレビジョン放送において、放送の内容に関連した文字等の情報を得るために、音声・映像信号以外の帯域にデジタル情報を合成して放送する技術が存在する（例えば下記特許文献１）。
【０００３】
【特許文献１】特開平１１−６９３２４号公報
【発明の開示】
【発明が解決しようとする課題】
【０００４】
上記特許文献１に記載の技術では、付加すべき文字等の情報を通常のテレビジョン放送信号中に埋め込むため、規格の見直しや、従来の受信機に悪影響がないことを確認する試験を行う必要がある。よって、付加情報の導入に時間を要する。
【０００５】
また、携帯情報端末向けだけでなく家庭設置用の受像機向けにも適合可能なよう、テレビジョン放送の統一規格として実現する必要があるために、携帯情報端末固有のサービスとして簡易に提供することができないという問題がある。
【０００６】
また、放送局側・受信端末側それぞれに特別な機能追加が必要なため、コストがかかるとの問題がある。
【０００７】
この発明は上記の事情に鑑みてなされたもので、テレビジョン放送信号に手を加えることなく、簡易に放送内容に関連した文字等の情報を閲覧可能な携帯情報端末及び携帯情報システムを実現する。
【課題を解決するための手段】
【０００８】
本発明は、基地局と無線通信を行うことが可能な無線通信部と、前記無線通信部及び前記基地局を介してインターネットに接続し、インターネット上の所定の情報サーバーとの間で送受信を行うインターネット接続部と、表示部と、テレビジョン放送を受信可能なテレビジョン放送受信部と、制御部と、操作部と、日付及び時刻を計測する時計とを備え、前記制御部は、前記操作部を介して与えられた視聴チャンネルの情報に基づき、対応するチャンネルのテレビジョン放送を前記テレビジョン放送受信部に受信させ、前記テレビジョン放送受信部の受信したテレビジョン放送を前記表示部に表示させ、前記無線通信部に前記基地局から端末の現在位置の情報を取得させ、前記時計より得た現在時刻の情報と、前記視聴チャンネルの情報と、前記現在位置の情報とを、前記情報サーバーに対して前記インターネット接続部に送信させ、前記テレビジョン放送受信部の受信したテレビジョン放送に関する関連情報を前記情報サーバーから前記インターネット接続部に受信させ、前記インターネット接続部の受信した前記関連情報を、受信した前記テレビジョン放送とともに前記表示部に表示させる携帯情報端末である。
【０００９】
また、本発明は、上記携帯情報端末と、前記情報サーバーと、前記情報サーバー及び前記無線通信部間の通信を行うためのインターネット回線とを備え、前記情報サーバーは、前記インターネット回線を介してインターネットに接続可能なインターネット接続手段と、制御部と、記憶部とを有し、前記記憶部には、前記関連情報、または、それに加えて前記放送済み関連情報が、時刻、地域及びチャンネルに対応付けて記憶され、前記制御部は、前記携帯情報端末からの前記関連情報または前記放送済み関連情報の要求を前記インターネット接続手段を介して受信し、対応する前記関連情報または前記放送済み関連情報を前記記憶部から取り出して、前記インターネット接続手段を介して前記携帯情報端末へと送信する携帯情報システムである。
【発明の効果】
【００１０】
本発明に係る携帯情報端末によれば、制御部が、テレビジョン放送受信部の受信したテレビジョン放送に関する関連情報を情報サーバーからインターネット接続部に受信させ、インターネット接続部の受信した関連情報を、受信したテレビジョン放送とともに表示部に表示させる。すなわち、制御部は、テレビジョン放送とは別個に、受信したテレビジョン放送に関する関連情報をインターネットを介して取得し、表示部に表示させる。よって、テレビジョン放送信号に手を加えることなく、簡易に放送内容に関連した、文字データや、画像データ、特定のＵＲＬ（Uniform Resource Locator）へのリンク等の情報を閲覧可能な携帯情報端末が得られる。
【００１１】
また、本発明に係る携帯情報システムによれば、情報サーバーの制御部が、携帯情報端末からの関連情報または放送済み関連情報の要求をインターネット接続手段を介して受信し、対応する関連情報または放送済み関連情報を記憶部から取り出して、インターネット接続手段を介して携帯情報端末へと送信する。よって、テレビジョン放送信号に手を加えることなく、簡易に放送内容に関連した、文字データや、画像データ、特定のＵＲＬへのリンク等の情報を閲覧可能な携帯情報システムが得られる。
【発明を実施するための最良の形態】
【００１２】
＜実施の形態１＞
本実施の形態は、テレビジョン放送とは別個に、受信したテレビジョン放送に関する関連情報をインターネットを介して取得し、表示部に表示させるようにした携帯情報端末及び携帯情報システムである。
【００１３】
図１は、本実施の形態に係る携帯情報端末及び携帯情報システムを示すブロック図である。図１に示すように、本携帯情報システムは、携帯電話やＰＤＡ（Personal Digital Assistant）、ノートパソコン等の携帯情報端末ＴＭａと、情報サーバー８と、情報サーバー８及び携帯情報端末ＴＭａ間の通信を行うためのインターネット回線ＮＴとを備える。
【００１４】
携帯情報端末ＴＭａは、基地局（図示せず）と無線通信を行うことが可能な無線通信部１と、無線通信部１及び基地局を介してインターネットに接続し、ＴＣＰ／ＩＰ（Transfer Control Protocol／Internet Protocol）に基づいてインターネット上の情報サーバー８との間で送受信を行うインターネット接続部２と、液晶パネル等の表示部３と、テレビジョン放送を受信可能なテレビジョン放送受信部４と、携帯情報端末ＴＭａ内各部を制御する制御部５と、ユーザーからの指令を制御部５に入力するためのキーボタン等の操作部６と、日付及び時刻を計測する時計７とを備える。
【００１５】
また、図２は情報サーバー８の構成を示すブロック図である。情報サーバー８は、インターネット回線ＮＴを介してインターネットに接続可能なインターネット接続手段１１と、情報サーバー８内各部を制御する制御部１２と、ハードディスク等の記憶部１３とを有している。
【００１６】
次に、本実施の形態に係る携帯情報端末及び携帯情報システムの動作について説明する。まず、ユーザーは、操作部６を操作することにより、テレビ放送の視聴チャンネルを選択する。選択された視聴チャンネルの情報は制御部５に与えられる。制御部５は、操作部６を介して与えられた視聴チャンネルの情報に基づき、テレビジョン放送受信部４に対応するチャンネルのテレビジョン放送を受信させる。テレビジョン放送受信部４の受信したテレビジョン放送は表示部３に送られ、表示部３にてテレビ放送内容が表示される。
【００１７】
制御部５は、無線通信部１に基地局から端末の現在位置の情報を取得させておく。そして、制御部５は、時計７より得た現在時刻の情報と、受信している視聴チャンネル番号の情報と、無線通信部１により得られた端末の現在位置の情報とを、要求データとしてインターネット接続部２に送り、インターネット接続部２は、無線通信部１及び基地局を介してインターネットに接続して、情報サーバー８に対してこれらの情報を送信する。
【００１８】
情報サーバー８は、携帯情報端末ＴＭａより受信した要求データに基づいて、テレビジョン放送受信部４の受信したテレビジョン放送に関する関連情報をインターネット接続部２に送信する。ここで、関連情報とは、放送内容に関した画面に表示すべき文字情報（例えば字幕やテロップなど）や、他の静止画・動画、あるいは、特定のＵＲＬ（Uniform Resource Locator）へのリンク情報などのことを指す。
【００１９】
情報サーバー８内の記憶部１３には、関連情報としての表示データ（文字情報等）が、日付及び時刻、地域及びチャンネルに対応付けてテーブル１５の形式にて記憶されている。これらのデータは、放送する予定の番組内容に従って、あらかじめテレビ番組制作者等により準備されたものである。
【００２０】
携帯情報端末ＴＭａより受信した要求データ１４には、地域（すなわち端末の現在位置の情報）、チャンネル、現在時刻の各情報が含まれている。よって、制御部１２は、携帯情報端末ＴＭａからの関連情報の要求をインターネット接続手段１１を介して受信し、対応する関連情報を記憶部１３にて検索する。そして、目的の関連情報を記憶部１３から取り出して、インターネット接続手段１１を介して携帯情報端末ＴＭａへと送信する。
【００２１】
携帯情報端末ＴＭａでは、視聴中のテレビジョン放送に関する情報サーバー８からの関連情報を、インターネット回線ＮＴ及び無線通信部１を経由してインターネット接続部２にて受信し、インターネット接続部２の受信した関連情報を、受信したテレビジョン放送とともに表示部３にて表示する。
【００２２】
このように構成された携帯情報端末ＴＭａおよび情報サーバー８により、携帯情報端末ＴＭａのユーザーは、携帯情報端末ＴＭａでテレビ放送を受信したときに、放送内容に応じて自動的にインターネットから文字情報等を得て、テレビ放送と共に視聴することができる。これにより、例えば字幕を適切な表示タイミングで順次表示することができたり、また、番組内容に対応した対話的な情報送受信、例えば通信販売やアンケートなどを表示して、ユーザーに応答を求めることもできる。
【００２３】
つまり、本実施の形態に係る携帯情報端末ＴＭａによれば、制御部５が、テレビジョン放送受信部４の受信したテレビジョン放送に関する関連情報を情報サーバー８からインターネット接続部２に受信させ、インターネット接続部２の受信した関連情報を、受信したテレビジョン放送とともに表示部３に表示させる。すなわち、制御部５は、テレビジョン放送とは別個に、受信したテレビジョン放送に関する関連情報をインターネットを介して取得し、表示部３に表示させる。よって、テレビジョン放送信号に手を加えることなく、簡易に放送内容に関連した、文字データや、画像データ、特定のＵＲＬへのリンク等の情報を閲覧可能な携帯情報端末が得られる。
【００２４】
また、本実施の形態に係る携帯情報システムによれば、情報サーバー８の制御部１２が、携帯情報端末ＴＭａからの関連情報の要求をインターネット接続手段１１を介して受信し、対応する関連情報を記憶部１３から取り出して、インターネット接続手段１１を介して携帯情報端末ＴＭａへと送信する。よって、テレビジョン放送信号に手を加えることなく、簡易に放送内容に関連した、文字データや、画像データ、特定のＵＲＬへのリンク等の情報を閲覧可能な携帯情報システムが得られる。
【００２５】
これにより、特定のデジタル情報を持たないアナログ放送等で、放送内容に関連したデジタル情報を得ることができる。そして、放送信号に手を加える必要がないため、従来の放送設備で対応でき、受信する携帯情報端末側もテレビ受信機能を持った携帯端末でさえあれば、主にソフトウェアの変更のみで対応可能なため、低コストで携帯情報システムを実現できる。また、規格を統一して対応する必要がないため、携帯情報端末ごとの固有のサービスとして簡易に実現することができる。
【００２６】
なお、この発明の活用例として、テレビ放送に字幕表示を付加できる他、テレビ通信販売やテレビＣＭと連携したインターネットでの購入促進などが考えられる。例えば次々に商品が紹介されるタイミングで購入ボタンを押すことで、即その商品を購入するようなサービスを提供することも可能となる。
【００２７】
＜実施の形態２＞
本実施の形態は、実施の形態１に係る携帯情報端末及び携帯情報システムの変形例であって、携帯情報端末で録画済のテレビジョン放送に対しても、録画したテレビジョン放送に関する関連情報をインターネットを介して取得し、表示部に表示させるようにしたものである。
【００２８】
図３は、本実施の形態に係る携帯情報端末及び携帯情報システムを示す図である。なお図３においては、携帯情報端末ＴＭａに代わって、携帯情報端末ＴＭａの有する構成要素に加えて、テレビジョン放送受信部４の受信したテレビジョン放送の動画データを記憶する、不揮発性メモリ等の動画記憶部２２と、動画記憶部２２に記憶された動画データを再生して表示部３に表示させる動画再生部２１とを更に備えた携帯情報端末ＴＭｂが採用されている点以外、携帯情報端末及び携帯情報システムの構成は図１と同じである。
【００２９】
制御部５は、視聴中のテレビジョン放送を動画データとして動画記憶部２２に記憶することが可能である。そして、制御部５は、動画データの動画記憶部２２への記憶に際して、録画中の視聴チャンネルの情報と、時計７より得た録画開始の日付及び時刻の情報と、端末の録画時における位置の情報とをも、動画記憶部２２にデータ２３として記憶させる。
【００３０】
一方、録画した動画データを再生させる場合には、ユーザーは操作部６を操作することにより、再生する動画データを表示部３にて選択し、動画再生の指示を入力する。入力された指示の情報は制御部５に与えられ、制御部５は動画再生部２１を制御して、指示された動画の表示部３への再生を行う。
【００３１】
動画データの動画再生部２１における再生に際して、制御部５は、時計７より再生開始時刻の情報と現在時刻の情報とを得て、両者の差分を算出する。すなわち、制御部５は、時計７からの再生開始時刻の情報と現在時刻の情報とに基づき、動画データの再生開始から現在時刻までの再生経過時間を算出する。
【００３２】
そして、制御部５は、再生中の動画データの録画開始時刻の情報を動画記憶部２２から読み出し、算出した再生経過時間を録画開始時刻に加算する。これにより、現在再生中の場面に対応する、放送時における放送日付及び時刻を算定することができる。例えば、再生経過時間が３０分と算出され、再生中の動画データの録画開始時刻が１５時００分であったとすれば、現在再生中の場面に対応する、放送時における放送時刻は１５時３０分と算定される。
【００３３】
なお、このような放送時における放送日付及び時刻の算定は、再生開始時刻の情報と現在時刻の情報とから再生経過時間を算出することに基づいて行われるのみならず、例えば動画データの再生開始からの再生済みデータ長を制御部５が検出し、再生済みデータ長から制御部５が再生経過時間を算出することに基づいて行われてもよい。
【００３４】
制御部５は、算定した放送時における放送日付及び時刻の情報と、録画中の視聴チャンネルの情報と、録画時における位置の情報（すなわち録画時における端末の存在した地域の情報）とを、情報サーバー８に対してインターネット接続部２に送信させる。
【００３５】
情報サーバー８では、携帯情報端末ＴＭｂより受信した要求データに基づいて、再生中の動画データに関する放送済み関連情報をインターネット接続部２に送信する。ここで、放送済み関連情報とは、実施の形態１における関連情報とは現在放送中か過去に放送済みかが異なっているだけで、その他については同様の、過去の放送内容に関した画面に表示すべき文字情報（例えば字幕やテロップなど）や、他の静止画・動画、あるいは、特定のＵＲＬへのリンク情報などのことを指す。
【００３６】
情報サーバー８内の記憶部１３には、放送済み関連情報としての表示データ（文字情報等）も、時刻、地域及びチャンネルに対応付けて図２のテーブル１５の形式にて記憶されている。これらのデータも、過去に放送した番組内容に従ってテレビ番組制作者等により準備されたものである。
【００３７】
携帯情報端末ＴＭｂより受信した要求データ１４には、録画時における地域（すなわち端末の録画時の位置の情報）、再生動画のチャンネル、放送時における放送日付及び時刻の各情報が含まれている。よって、情報サーバー８の制御部１２は、携帯情報端末ＴＭｂからの放送済み関連情報の要求をインターネット接続手段１１を介して受信し、対応する放送済み関連情報を記憶部１３にて検索する。そして、目的の放送済み関連情報を記憶部１３から取り出して、インターネット接続手段１１を介して携帯情報端末ＴＭｂへと送信する。
【００３８】
携帯情報端末ＴＭｂでは、情報サーバー８からの動画データに関する放送済み関連情報を、インターネット回線ＮＴ及び無線通信部１を経由してインターネット接続部２にて受信し、インターネット接続部２の受信した放送済み関連情報を、再生すべき動画データとともに表示部３にて表示する。
【００３９】
その他の点については、実施の形態１に係る携帯情報端末及び携帯情報システムと同様のため、説明を省略する。
【００４０】
本実施の形態に係る携帯情報端末ＴＭｂによれば、制御部５が、動画データに関する放送済み関連情報を情報サーバー８からインターネット接続部２に受信させ、インターネット接続部２の受信した放送済み関連情報を、再生すべき動画データとともに表示部３に表示させる。すなわち、制御部５は、再生すべき動画データとは別個に、動画データに関する放送済み関連情報をインターネットを介して取得し、表示部３に表示させる。よって、テレビジョン放送信号に手を加えることなく、かつ、動画データに大量の情報を埋め込むことなく、簡易に放送内容に関連した、文字データや、画像データ、特定のＵＲＬへのリンク等の情報を閲覧可能な携帯情報端末が得られる。
【００４１】
また、本実施の形態に係る携帯情報システムによれば、情報サーバー８の制御部１２が、携帯情報端末ＴＭｂからの放送済み関連情報の要求をインターネット接続手段１１を介して受信し、対応する放送済み関連情報を記憶部１３から取り出して、インターネット接続手段１１を介して携帯情報端末ＴＭｂへと送信する。よって、テレビジョン放送信号に手を加えることなく、かつ、動画データに大量の情報を埋め込むことなく、簡易に放送内容に関連した、文字データや、画像データ、特定のＵＲＬへのリンク等の情報を閲覧可能な携帯情報システムが得られる。
【図面の簡単な説明】
【００４２】
【図１】実施の形態１に係る携帯情報端末及び携帯情報システムを示すブロック図である。
【図２】情報サーバーの構成を示すブロック図である。
【図３】実施の形態２に係る携帯情報端末及び携帯情報システムを示す図である。
【符号の説明】
【００４３】
１  無線通信部、２  インターネット接続部、３  表示部、４  テレビジョン放送受信部、５  制御部、６  操作部、７  時計、８  情報サーバー、１１  インターネット接続手段、１２  制御部、１３  記憶部、２１  動画再生部、２２  動画記憶部、ＮＴ  インターネット回線。
【図１】
2007324645.tif 000003
【図２】
2007324645.tif 000004
【図３】
2007324645.tif 000005